(57)【要約】【課題】パッケージ間の密着接続作業を可能にするためにはパッケージを上部から吊り上げる必要があり、そのためにパッケージの重量を支える柱を追加することはコストアップとなるだけでなく、トータル重量が重くなる不都合が発生した。【解決手段】機器類を収容する室の底部に配設され、床、壁、この壁を保持する複数の柱部材４、及び屋根部を支える下部フレーム部材６を備えた吊上げ式パッケージハウス１であって、所定箇所の上記柱部材は、吊上げ用のワイヤ１０を挿通し得る空間を有し、上記下部フレーム部材における該柱部材の下端部に、挿通された上記ワイヤの下端部を係止させるためのフック係止部７を備えてなることを特徴とする。【選択図】図１
2013014976.tif 000002
【特許請求の範囲】
【請求項１】
機器類を収容する室の底部に配設され、床、壁、この壁を保持する複数の柱部材、及び屋根部を支える下部フレーム部材を備えた吊上げ式パッケージハウスであって、所定箇所の上記柱部材は、吊上げ用のワイヤを挿通し得る空間を有し、上記下部フレーム部材における該柱部材の下端部に、挿通された上記ワイヤの下端部を係止させるためのフック係止部を備えてなることを特徴とする吊上げ式パッケージハウス。
【請求項２】
上記ワイヤは上記柱部材の空間部に予め内蔵され、下端が上記フック係止部に係着され、上端に上記屋根部の上から吊上げ具で吊上げるためのフック係合部が設けられていることを特徴とする請求項１記載の吊上げ式パッケージハウス。
【請求項３】
上記所定箇所の上記柱部材は溝型鋼からなり、上記ワイヤのまわりは該柱部材の内側に配設された保護用鋼管によって包囲されていることを特徴とする請求項２記載の吊上げ式パッケージハウス。
【請求項４】
上記所定箇所の上記柱部材は中空の角型鋼材からなることを特徴とする請求項２記載の吊上げ式パッケージハウス。
【請求項５】
上記所定箇所の上記柱部材は上下端が開放状態で固定された中空の角型鋼材からなり、上記フック係止部は、上記下部フレーム部材における該柱部材の下端部の下部に、吊上げ時に上端部から挿通された上記ワイヤの下端部を係合させ得るように、上記柱部材の投影面の中に突設されていることを特徴とする請求項１記載の吊上げ式パッケージハウス。
【請求項６】
上記機器類は、発電機用の電気設備であることを特徴とする請求項１から請求項５の何れかに記載の吊上げ式パッケージハウス。
【請求項７】
上記請求項１から請求項６の何れかに記載された吊上げ式パッケージハウスを複数連結し、１つのパッケージハウスを構成するようにしたことを特徴とする吊上げ式パッケージハウス。
【発明の詳細な説明】
【技術分野】
【０００１】
この発明は、例えば発電所で使用される電気機器が収納された大型のパッケージハウスなどとして好適に用いられる吊上げ式パッケージハウスに関し、特に輸送寸法や重量制限のために分割された場合の輸送や現地での据付作業を改善した吊上げ式パッケージハウスに関するものである。
【背景技術】
【０００２】
従来の大型の吊上げ式パッケージハウスとして、筐体の側面に外部へ向かって突出する扉を設けるとともに筐体の屋根を構成する筐体の上面板を筐体の側面から突出させて上面板の突出した部分に補強材を設け、筐体をワイヤを介して吊り上げるためのフックを筐体の下部に側面から突出した状態で形成するようにしたものがある（例えば、特許文献１参照）。
【先行技術文献】
【特許文献】
【０００３】
【特許文献１】実開平７−３２５９号公報（第１頁、図１）
【発明の概要】
【発明が解決しようとする課題】
【０００４】
上記のような従来の技術では、筐体下部の両外側にワイヤを掛けるためのフックを突出させ、筐体の外側にワイヤが位置するようにしていたので、パッケージ表面をガードする補強材が必要であり、パッケージハウスを並べて置く場合にはフック部とワイヤのスペース分を空ける必要があり、２つのパッケージハウスを密着接続する場合には、仮置きした方をジャッキ・アップして横に滑らす作業が必要であり、平面基礎でなければ困難であった。なお、小型・軽量のパッケージハウスの場合は筐体上部に吊フックを設けることが出来るのでその問題はないが、大型・重量のパッケージハウスの場合には筐体の上部に吊フックを設けるには躯体の強度を増すために柱のサイズを大きくするなど重量が更に重くなり、コストも増すので、採用されなかった。
近年の発電所では筐体下部に配線トレイを設ける必要と基礎の製造コスト削減のために角柱状の角型基礎の使用が多く、加えて大型、重量物のパッケージハウスを内陸部に建設する場合には、輸送道路幅や重量の制約からパッケージハウスを分割輸送し、角型基礎上に据え付け、一体化する必要があり、据付時の作業効率の改善が求められていた。
【０００５】
この発明は上記のような実状に鑑みなされたものであり、パッケージハウスの表面をガードする補強材が不要であり、分割輸送された場合でも据付が容易な吊上げ式パッケージハウスを得ることを目的としている。
【課題を解決するための手段】
【０００６】
この発明に係る吊上げ式パッケージハウスは、機器類を収容する室の底部に配設され、床、壁、この壁を保持する複数の柱部材、及び屋根部を支える下部フレーム部材を備えた吊上げ式パッケージハウスであって、所定箇所の上記柱部材は、吊上げ用のワイヤを挿通し得る空間を有し、上記下部フレーム部材における該柱部材の下端部に、挿通された上記ワイヤの下端部を係止させるためのフック係止部を備えるようにしたものである。
【発明の効果】
【０００７】
この発明においては、吊上げ用のワイヤを柱部材の内部の空間に通すようにしたので、ワイヤ下端部を係止させるためのフック係止部やワイヤがパッケージの側面に飛び出すことがなくなる。このため、パッケージハウスの表面をガードする補強材が不要であり、分割輸送された場合でも据付が容易になるという効果が得られる。
【図面の簡単な説明】
【０００８】
【図１】この発明の実施の形態１に係る吊上げ式パッケージハウスの吊上げ状態を模式的に示す斜視図。
【図２】この発明の実施の形態１に係る吊上げ式パッケージハウスの据付手順を説明する図。
【図３】この発明の実施の形態２に係る吊上げ式パッケージハウスの吊上げ状態を模式的に示す斜視図。
【図４】この発明の実施の形態３に係る吊上げ式パッケージハウスの吊上げ状態を模式的に示す斜視図。
【発明を実施するための形態】
【０００９】
実施の形態１．
図１はこの発明の実施の形態１に係る吊上げ式パッケージハウスの吊上げ状態を模式的に示す斜視図、図２にこの発明の実施の形態１に係る吊上げ式パッケージハウスの据付手順を説明する図である。図において、電気機器を収納する大型の吊上げ式パッケージハウス（以下、パッケージハウスという）１は、この例では直方体状の箱型に形成され、機器類を収容する室を形成している床２、壁３、この壁３を支持する柱部材４、及び天井を含む屋根部５は、下部に配設されたＨ型鋼などを枠状に組み合わせ溶接した下部フレーム部材６によって支持されている。柱部材４は、図１の右下の拡大図に示すように溝型鋼からなっている。下部フレーム部材６を除く床２、壁３、柱部材４、及び屋根部５を構成する材料としては、必要な強度が確保された軽量の材料が用いられ、軽量化されている。
【００１０】
断面コ字形の柱部材４は室の４隅に配設されている。各柱部材４のコ字形の内側空間には、下端が下部フレーム部材６の上面に溶接止めしたフック係止部７で係止され、上端に屋根部５の上から吊上げ具８で吊上げるためのフック係合部（メガネフック）９が設けられたワイヤ１０が挿通され、ワイヤ１０の周囲は保護用鋼管１１で包囲されている。保護用鋼管１１はパッケージハウスの屋根部５まで貫通されている。なお、フック係合部９は、屋根部５の上部に突出させた状態でも良いが、普段は不要なものであるので、屋根部５を構成する屋根材（図示省略）によって覆われるように構成し、雨水がかからないようにすることもできる。パッケージハウス１は図２（ａ）の平面図に示す角型基礎１２上に２台合わせて設置され、連結して一体化される。
【００１１】
なお、図１は最も単純化した例で示しており、出入り口、扉、室内に収容された電気機器類、高圧ケーブルの壁貫通装置など、何れも図示省略している。また、柱部材４の設置位置は室の４隅に限定されるものではなく、例えば長辺の間部分や出入り口部分などに設置数を適宜増やしたものとしても良い。また、ワイヤ１０を設置する柱部材は室の４隅の位置に限定されない。また、パッケージハウス１の内部に収容される機器類は特に限定されるものではないが、ここではタービン発電機の起動時にタービン建屋内に供給するための、例えば受電設備、同期電動機を駆動するインバータ装置、励磁回路の電源、サイリスタ装置、制御盤などを含む電気機器類であって、起動時に外部電源とタービン発電機との間に介在されるように用いられる。
【００１２】
次に上記のように構成された実施の形態１の動作について説明する。なお、ここではパッケージハウス１がパッケージハウス１Ａと、１Ｂに２分割され、現地で据付、合体される場合について説明する。パッケージハウス１は、需要家の求めなどによって決められた仕様に基づき、工場サイドで概略図１のような外観の箱状に組み立てられる。パッケージハウス１Ａ、１Ｂ室内には、図示していない電気機器類が設置される。パッケージハウス１Ａ、１Ｂの合わせ面における不要となる壁は、保護用の仮設の壁材が組み付けられる。因みに一例として、パッケージハウス１Ａ、１Ｂの重量はそれぞれ数十トン程度のものである。
【００１３】
一方、据付現場では、予め図２（ａ）に示すように鉄筋コンクリート製の角形基礎１２が用意される。なお、角形基礎１２は、各パッケージハウス１Ａ、１Ｂの４隅部分に位置するように設置されているが、大きさや重量などにより、必要に応じて同様の別の角形基礎が各辺、特に長辺部の中間部等に１または２以上の数で更に設置される。また、パッケージハウス１の出入り口部には階段なども設置される。
【００１４】
工場で組立てたパッケージハウス１Ａ、１Ｂをトレーラートラックに積み込むとき、及びトレーラートラックから角形基礎１２上に移すときに、パッケージハウス１Ａ、１Ｂを吊り上げるには、図１に示すようにパッケージハウスの屋根部５から出たワイヤ１０の先端部に取り付けたフック係合部９にクレーンの吊上げ具８を掛けて吊り上げる。ワイヤ１０は保護用鋼管１１によって包囲されていることにより、パッケージハウス本体に対するワイヤ１０による損傷が防止される。角形基礎１２上に据え付ける場合には、まず、パッケージハウス１Ａを図２（ｂ）のように、一方の角形基礎１２上に設置する。次にパッケージハウス１Ｂを図２（ｃ）のように設置する。
【００１５】
この実施の形態１においては、フック係止部７や吊上げるためのワイヤ１０は、パッケージハウス１Ａ（１Ｂ）の投影面内にあり、外側に突出していないので、図２（ｂ）のように設置された一方のパッケージハウス１Ａに対して、合体させる他方のパッケージハウス１Ｂを合わせ面で直接密着させるように角形基礎１２上に設置することができる。このため、従来のように後から降ろすパッケージハウスを最初に設置したパッケージハウスの近傍に仮置きし、吊り上げ具などを取り外した後に、ジャッキ・アップして横移動させるという手間が不要となる。
【００１６】
上記のように、実施の形態１によれば、４隅の溝型鋼からなる柱部材４の内部空間に、下端が下部フレーム部材６の上面に溶接止めしたフック係止部７に係止され、上端に屋根の上から吊上げ具８で吊上げるためのフック係合部９が設けられたワイヤ１０を挿通・設置したので、フック係止部７や、ワイヤ１０がパッケージハウス１の側面に飛び出すことがなく、パッケージハウス１の表面をガードする補強材が不要であり、分割輸送された場合でも据付が容易であるという効果が得られる。また、パッケージハウス１（１Ａ、１Ｂ）を吊上げ式とするために、躯体強度を上げ、重量化する必要もなくなるので、コスト増を招くことがない。
【００１７】
また、ワイヤ１０は溝型鋼からなる柱部材４の内側空間に配設された保護用鋼管１１の内部に挿通されていることで、柱部材４や壁３を損傷することがない。また、２つのパッケージハウス１Ａ、１Ｂを直接密着させるように設置できるので、ジャッキ・アップして横移動させるという手間が不要であり、角形基礎１２上に据え付ける場合でも据付作業を効率的に行うことができる。
このため、例えば発電所に納入される電気機器が収納された大型パッケージハウスを並べて配置する場合、さらには輸送時の寸法制限や重量制限のために分割したパッケージハウスを現地で接続するような場合であっても、必要とする密着接続作業において従来支障となっていたパッケージ側面に張り出した吊上げワイヤやフックを無くすことができる。
【００１８】
実施の形態２．
図３はこの発明の実施の形態２に係る吊上げ式パッケージハウスの吊上げ状態を模式的に示す斜視図である。図において、パッケージハウス１の４隅に配設された柱部材４Ａは断面略正方形の角型鋼管からなり、ワイヤ１０はこの柱部材４Ａの内部に直接挿通されている。この実施の形態２では、角型鋼管からなる柱部材４Ａが、実施の形態１における保護用鋼管１１の機能を備えており、保護用鋼管１１は廃止されている。その他の構成は実施の形態１と同様である。実施の形態２では、保護用鋼管１１を不要にしたことにより、部品数が削減され、組立も容易で、パッケージハウス１の軽量化も図れるという更なる効果が得られる。因みに、具体的な実施例について、上記実施の形態１の構成を比較例として比較した結果を以下に示す。
【００１９】
比較例（実施の形態１）：
柱部材４としての溝型鋼として、サイズ（底辺部の長さ×対向された２辺部の各長さ×底辺部の厚み×対向された２辺部の各厚み）が１５０×７５×６．５×１０ｍｍのもので、重量が１８．６ｋｇ／ｍのものを用い、保護用鋼管１１として、８．７９ｋｇ／ｍの配管用炭素鋼管３Ｂを用いた場合、トータルの単位長あたりの質量は２７．４ｋｇ／ｍとなり、溝型鋼の断面積３０．５９ｃｍ２、断面係数はＺｘ＝１１５ｃｍ３である。
【００２０】
実施例（実施の形態２）：
柱部材４Ａとして用いた角型鋼管は、サイズ（直交する一辺の長さ×他辺の長さ×各辺の厚み）が１５０×１５０×４．５ｍｍで、重量が２０．１ｋｇ／ｍのものを用いた場合、断面積は２５．６７ｃｍ２であり、上記比較例の溝型鋼に比べて小さいが、断面係数はＺｘ＝１２０ｃｍ３で、部材の曲げ応力度において大差がない。これにより柱部材４Ａは約２７％の重量軽減（（２７．４−２０．１）×１００／２７．４）となる。
【００２１】
実施の形態３．
図４はこの発明の実施の形態３に係る吊上げ式パッケージハウスの吊上げ状態を模式的に示す斜視図である。図において、柱部材４Ａは上下端が開放状態で固定された実施の形態２と同様の中空の角型鋼材からなり、フック係止部７Ａは、下部フレーム部材６における柱部材４Ａの下端部の開口位置の下部に、吊上げ時に上から下方向に挿通されるワイヤ１０Ａの下端部を係合させ得るように、柱部材４Ａの投影面の中に下向きに突設されている。実施の形態１、２は、ワイヤ１０がパッケージハウス１の柱部材４、４Ａの中に予め設備されているのに対し、この実施の形態３では、ワイヤ１０Ａを吊上げ時に外部から挿通させるようにしたものである。その他の構成は実施の形態２と同様であるので説明を省略する。
【００２２】
上記のように構成された実施の形態３においては、ワイヤ１０Ａを吊上げ時に外部から挿通させるようにしたので、個々のパッケージハウス１（１Ａ、１Ｂ）にワイヤ１０を具備させる必要がなくなる。このため、構成が簡素になり、コストも削減できる上、パッケージハウス１内にワイヤ１０が留まらないため、酸化等によるワイヤ１０の劣化による事故を防止できるという効果も得られる。
【符号の説明】
【００２３】
１、１Ａ、１Ｂ  パッケージハウス、  ２  床、  ３  壁、  ４、４Ａ  柱部材、  ５  屋根部、  ６  下部フレーム部材、  ７、７Ａ  フック係止部、  ８  吊上げ具、  ９  フック係合部、  １０、１０Ａ  ワイヤ、  １１  保護用鋼管、  １２  角形基礎。
【図１】
2013014976.tif 000003
【図２】
2013014976.tif 000004
【図３】
2013014976.tif 000005
【図４】
2013014976.tif 000006